(57)【要約】【課題】貨幣の入出金に関わる利用者とのトラブルを抑止および検証可能であると共に、メンテナンス作業に関わる不正行為を抑止および検証することができる貨幣処理装置の監視装置を提供する。【解決手段】両替機能を有する貨幣処理装置に搭載される監視装置であって、前方に設定された撮影範囲の映像を撮影する監視カメラと、監視カメラにより撮影される映像に基づく監視映像を貨幣処理装置の表示装置に表示すると共に、監視映像を貨幣処理装置において生起される動作の事象毎に不揮発性記憶装置に記憶する制御装置と、を備え、制御装置は監視カメラで撮影された第１所定時間の映像を逐次記憶しつつ第１所定時間経過後の記憶された映像を消去する一時記憶装置を有し、事象が生起された時刻から第１所定時間より短い第２所定時間遡った時刻に開始される監視カメラの映像を一時記憶装置から読み出して監視映像を不揮発性記憶装置に記憶する。【選択図】図３
2020009155.tif 000002
【特許請求の範囲】
【請求項１】
貨幣入金口に入金される貨幣を等価で他の貨幣に交換して貨幣出金口に出金する両替機能を有する貨幣処理装置に搭載される監視装置であって、
前方に設定された撮影範囲の映像を撮影する監視カメラと、
前記監視カメラにより撮影される映像に基づく監視映像を前記貨幣処理装置の表示装置に表示すると共に、当該監視映像を前記貨幣処理装置において生起される動作の事象毎に不揮発性記憶装置に記憶する制御装置と、
を備え、
前記制御装置は前記監視カメラで撮影された第１所定時間の映像を逐次記憶しつつ前記第１所定時間経過後の前記記憶された映像を消去する一時記憶装置を有し、
前記事象が生起された時刻から前記第１所定時間より短い第２所定時間遡った時刻に開始される前記監視カメラの映像を前記一時記憶装置から読み出して前記監視映像を前記不揮発性記憶装置に記憶することを特徴とする貨幣処理装置の監視装置。
【請求項２】
前記制御装置は、前記事象が生起された時刻および当該事象の種別を含む履歴情報と関連付けて前記監視映像を前記不揮発性記憶装置に記憶すると共に、前記履歴情報に対応する前記監視映像を前記表示装置に表示する請求項１に記載の貨幣処理装置の監視装置。
【請求項３】
前記事象は、前記貨幣処理装置における入金完了時、出金完了時、前扉開放時および前扉閉鎖時を含む請求項２に記載の貨幣処理装置の監視装置。
【請求項４】
前記入金完了時および前記出金完了時のそれぞれの前記事象における前記監視映像が前記監視カメラの映像から所定領域を切り出した部分映像よりなる請求項３に記載の貨幣処理装置の監視装置。
【発明の詳細な説明】
【技術分野】
【０００１】
本発明は、貨幣入金口に入金される貨幣を等価で他の貨幣に交換して貨幣出金口に出金する両替機能を有する貨幣処理装置に搭載される監視装置に関する。
【背景技術】
【０００２】
アーケードゲーム施設等のゲーム場では、硬貨またはメダル（遊技媒体）を使用してプレイするゲーム機に対応するために、両替機やメダル貸し・両替機等の貨幣を扱う貨幣処理装置が設置されている。両替機は、少なくとも紙幣を１００円硬貨に両替する両替機能を有している。メダル貸し・両替機は、上記両替機能に加えて、紙幣または硬貨をメダルに交換するメダル貸し機能を有している。
【０００３】
両替機などの貨幣を扱う機器においては、利用者とのトラブルを回避するため、監視カメラを設置する技術（例えば、特許文献１）が従前より提案されている。特許文献１の従来技術では、映像を撮影する監視カメラと、監視カメラの前面に配置された透過反射板と、監視カメラにより撮影された画像を記録する画像記録部とを有し、貨幣受入部の貨幣を撮影可能な位置に配置され、監視カメラは透過反射板を介して一方は使用者を撮影し、他方は貨幣受入部の貨幣を撮影して、使用者と貨幣の撮像を同一画面に撮影するように構成した監視カメラ装置を両替機に組み込んでいる。この従来技術によれば、透過反射板を用いて１台の監視カメラにより、使用者と使用者が投入した貨幣を同一画面に撮影或いは記録し、必要に応じて画面表示することができるので、装置を安価に製造することができ、また、即座に使用者と使用者が貨幣受入部に載置した貨幣とを照合した画像が再生可能となり、使用者が誤って貨幣を投入してトラブルが生じても、使用者が使用した貨幣を即座に確認し納得させることができる、とされている。
【先行技術文献】
【特許文献】
【０００４】
【特許文献１】特開２００８−２５７２８９号公報（請求項１、請求項８、段落００１８、段落００３３、段落００３５〜００３６、段落００６５、図１〜図６参照）
【発明の開示】
【発明が解決しようとする課題】
【０００５】
ところで、ゲーム場に設置された両替機やメダル貸し・両替機等の貨幣処理装置では、筐体に取付けられた前扉を開けて、入金された貨幣の回収および両替用の貨幣を補充する作業（以下、「メンテナンス作業」という）を行う。このメンテナンス作業はゲーム場の店員が行うため、その際に店員が貨幣を不正に入手する機会がある。こうした不正行為を防止するには、店員のメンテナンス作業を監視することが求められる。上記従来技術では、投入金額と両替金額とが一致しているか否かの確認を事後行うことはできるが、店員の不正行為については何ら考慮されていないため、店員の不正行為を抑止および検証することができないという問題がある。また、利用者とのトラブルがあった際に検証することはできるもののトラブル自体を抑止することができないという問題がある。
【０００６】
本発明は上記問題点を鑑みてなされたものであり、その目的とするところは、貨幣の入出金に関わる利用者とのトラブルを抑止および検証可能であると共に、メンテナンス作業に関わる不正行為を抑止および検証することができる貨幣処理装置の監視装置を提供することにある。
ここに明記しない本発明の他の目的は、以下の説明および添付図面から明らかである。
【課題を解決するための手段】
【０００７】
この目的を達成するため、本発明は以下のように構成される。
【０００８】
（１）本発明の貨幣処理装置の監視装置は、貨幣入金口に入金される貨幣を等価で他の貨幣に交換して貨幣出金口に出金する両替機能を有する貨幣処理装置に搭載される監視装置であって、前方に設定された撮影範囲の映像を撮影する監視カメラと、前記監視カメラにより撮影される映像に基づく監視映像を前記貨幣処理装置の表示装置に表示すると共に、当該監視映像を前記貨幣処理装置において生起される動作の事象毎に不揮発性記憶装置に記憶する制御装置と、を備え、前記制御装置は前記監視カメラで撮影された第１所定時間の映像を逐次記憶しつつ前記第１所定時間経過後の前記記憶された映像を消去する一時記憶装置を有し、前記事象が生起された時刻から前記第１所定時間より短い第２所定時間遡った時刻に開始される前記監視カメラの映像を前記一時記憶装置から読み出して前記監視映像を前記不揮発性記憶装置に記憶することを特徴とする。
【０００９】
本発明の貨幣処理装置の監視装置では、監視カメラが前方に設定された撮影範囲の映像を撮影する。制御装置は、監視カメラにより撮影される映像に基づく監視映像を表示装置に表示する。また、制御装置は、貨幣処理装置において生起される動作の事象毎に監視映像を不揮発性記憶装置に記憶する。制御装置は、監視カメラで撮影された第１所定時間の映像を逐次記憶しつつ第１所定時間経過後の記憶された映像を消去する一時記憶装置を有する。そして、事象が生起された時刻から第１所定時間より短い第２所定時間遡った時刻に開始される監視カメラの映像が一時記憶装置から読み出されて監視映像が不揮発性記憶装置に記憶される。
【００１０】
例えば、貨幣入金口への貨幣の入金に関わる監視映像および貨幣出金口への貨幣の出金に関わる監視映像が表示装置に表示された場合、貨幣処理装置の利用者がこれらの監視映像をリアルタイムで見ることになる。これにより、利用者は入金および出金の様子が監視されていることを感じ、無闇なクレームを自粛することが期待され、トラブルを抑止することができる。また、メンテナンス作業に関わる監視映像が表示装置に表示された場合、店員等の作業者がメンテナンス作業の様子が監視されていることを感じ、不正行為を思い止まることが期待され、不正行為を抑止することができる。
【００１１】
他方、例えば、貨幣入金口への貨幣の入金完了時が事象として設定されると、入金完了時から第２所定時間遡った時刻から入金完了時刻までの間の監視映像が不揮発性記憶装置に記憶される。また、貨幣出金口への貨幣の出金完了時が事象として設定されると、出金完了時から第２所定時間遡った時刻から出金完了時刻までの間の監視映像が不揮発性記憶装置に記憶される。記憶された監視映像を表示装置に表示すれば、貨幣の入金および出金のそれぞれの状態を事後検証することができる。したがって、利用者からクレームがあった場合にトラブルを容易に検証して解決することができる。さらに、例えば、店員等の作業者がメンテナンス作業を行う際に、前扉を開放した時が事象として設定されると、前扉を開放した時から第２所定時間遡った時刻から前扉を開放した時刻までの間の監視映像が不揮発性記憶装置に記憶される。また、前扉を閉鎖した時が事象として設定されると、前扉を閉鎖した時から第２所定時間遡った時刻から前扉を閉鎖した時刻までの間の監視映像が不揮発性記憶装置に記憶される。記憶された監視映像を表示装置に表示すれば、メンテナンス作業を行った作業者を特定することができる。したがって、メンテナンス作業に関わる不正行為があった場合の事後検証が可能となる。
【００１２】
（２）本発明の貨幣処理装置の監視装置の好ましい例では、前記制御装置は、前記事象が生起された時刻および当該事象の種別を含む履歴情報と関連付けて前記監視映像を前記不揮発性記憶装置に記憶すると共に、前記履歴情報に対応する前記監視映像を前記表示装置に表示する。この場合、履歴情報に基づいて事後確認することできるので、利便性が高まると共に、より確実な検証が可能になるという利点がある。
【００１３】
（３）本発明の貨幣処理装置の監視装置の他の好ましい例では、前記事象は、前記貨幣処理装置における入金完了時、出金完了時、前扉開放時および前扉閉鎖時を含む。
【００１４】
（４）本発明の貨幣処理装置の監視装置のさらに他の好ましい例では、前記入金完了時および前記出金完了時のそれぞれの前記事象における前記監視映像が前記監視カメラの映像から所定領域を切り出した部分映像よりなる。
【発明の効果】
【００１５】
本発明の貨幣処理装置の監視装置では、貨幣の入出金に関わる利用者とのトラブルを抑止および検証可能であると共に、メンテナンス作業に関わる不正行為を抑止および検証することができる、という効果が得られる。
【図面の簡単な説明】
【００１６】
【図１】本発明の第１実施形態の監視装置が搭載された両替機を示す概略斜視図である。
【図２】図１の両替機の前扉を開いた状態を示す正面図である。
【図３】図１の両替機の構成を示す概略ブロック図である。
【図４】図１の両替機で使用される交換条件を示す概略図である。
【図５】図１の両替機の動作を示すフローチャートである。
【図６】図１の両替機の動作を示すフローチャートで、図５の続きである。
【図７】図１の両替機を構成する制御ユニットの動作を示すフローチャートである。
【図８】図１の両替機を構成する制御ユニットの動作を示すフローチャートで、図７の続きである。
【図９】図１の両替機を構成する制御ＰＣの動作を示すフローチャートである。
【図１０】図１の両替機を構成する制御ＰＣの動作を示すフローチャートで、図９の続きである。
【図１１】図１の両替機を構成する制御ユニットおよび制御ＰＣの相互動作を示すシーケンス図である。
【図１２】図１の両替機を構成する制御ＰＣにおける監視映像を記憶する処理を示すフローチャートである。
【図１３】図１の両替機における表示装置の表示状態を示す概略図で、（Ａ）は広告映像が表示された場合、（Ｂ）は広告映像、操作画面および監視映像が表示された場合である。
【図１４】図１の両替機における表示装置の表示状態を示す概略図で、店員の作業状況の監視映像が表示された場合である。
【図１５】図１の両替機における表示装置の表示状態を示す概略図で、（Ａ）はメンテナンス画面が表示された場合であり、（Ｂ）は動作ログが表示された場合である。
【図１６】図１５（Ｂ）の動作ログの詳細を示す概略図である。
【図１７】本発明の第２実施形態の監視装置における表示装置の表示状態を示す概略図である。
【図１８】本発明の第２実施形態の監視装置における監視映像を記憶する処理を示すフローチャートである。
【発明を実施するための形態】
【００１７】
以下、本発明の実施の形態について、添付図面を参照しながら説明する。
【００１８】
（第１実施形態）
＜両替機の構成＞
図１および図２は、本発明の第１実施形態の監視装置１９０が搭載された両替機１００を示す。両替機１００は、例えばゲーム場に設置され、入金された貨幣を等価で他の貨幣に交換して出金する両替機能を有する貨幣処理装置である。両替機１００は、図１に示すように、箱形の筐体１０２と、筐体１０２に上下一対のヒンジ１０６を介して開閉可能に取り付けられた前扉１０４と、を含んでいる。前扉１０４には、タッチパネル式表示装置１０８、紙幣入金口１１６、紙幣出金口１１８、硬貨投入口１２０、硬貨返却レバー１２２、硬貨払出口１２４、硬貨受皿１２６、ロック装置１２８、人感センサ１３０、メンテナンス錠１３２およびスピーカ１３４が配置されている。
【００１９】
タッチパネル式表示装置１０８は、横長矩形の平面形状を有し、前扉１０４の上部に位置する。タッチパネル式表示装置１０８は、液晶表示パネル等の表示部１１０および表示部１１０に重ね合わされたタッチパネル１１２を有する。表示部１１０は操作ボタン１１４などを含む操作画面や静止画または動画などの各種情報を表示し、タッチパネル１１２は操作画面に対するタッチ操作に応じた操作信号を出力する。換言すれば、タッチパネル式表示装置１０８は、表示装置としての機能と入力装置としての機能とを有する。
【００２０】
紙幣入金口１１６はタッチパネル式表示装置１０８の右斜め下方に位置し、紙幣出金口１１８は紙幣入金口１１６の下方に位置する。紙幣入金口１１６には両替対象紙幣が投入され、紙幣出金口１１８からは両替紙幣が払い出される。硬貨投入口１２０は紙幣出金口１１８の左側方に位置し、硬貨返却レバー１２２は硬貨投入口１２０の下方に位置する。硬貨投入口１２０には、両替対象の１００円硬貨または５００円硬貨が投入される。硬貨払出口１２４および硬貨受皿１２６は、硬貨返却レバー１２２の左斜め下方に位置する。硬貨返却レバー１２２の操作により硬貨投入口１２０に投入された硬貨が硬貨払出口１２４を介して硬貨受皿１２６に返却される。両替硬貨は、硬貨払出口１２４を介して硬貨受皿１２６に貯留される。
【００２１】
ロック装置１２８は、前扉１０４の右下方に位置し、前扉１０４を施解錠する。人感センサ１３０は、紙幣入金口１１６の左側方に位置し、両替機１００の前方の所定領域内における人の存在を検知する。一対のスピーカ１３４は、硬貨払出口１２４の左右斜め上方に位置し、所望の音声を再生する。メンテナンス錠１３２は、左側のスピーカ１３４の上方に位置する。メンテナンス錠１３２にメンテナンスキー（図示せず）が挿入された状態で回動されると、タッチパネル式表示装置１０８にメンテナンス用の操作画面が表示される。この操作画面に対してタッチ操作をすることにより、前扉１０４を開くことなく所定のメンテナンス操作が可能となる。
【００２２】
筐体１０２の前側上面には、監視カメラ１３６が取り付けられている。監視カメラ１３６は、撮像方向を斜め下方に向けて設置されており、両替機１００の前方近傍の所定範囲における映像（画像）を撮影する。
【００２３】
次に、図２を参照しながら、両替機１００の内部構成について説明する。筐体１０２は、２つの棚部材１３８、１３９によって上段、中段および下段に区画されている。棚部材１３８で区画された筐体１０２の上段には、両替機１００の全体を制御する制御ユニット１４２が配置されている。棚部材１３８および棚部材１３９で区画された筐体１０２の中段には、左側に２つの硬貨払出ユニット１４６、１４８が配置され、右側に紙幣入出金ユニット１４４が配置されている。硬貨払出ユニット１４６の上方には１００円硬貨を貯留する硬貨貯留容器１５２が配置され、硬貨払出ユニット１４８の上方には５００円硬貨を貯留する硬貨貯留容器１５４が配置される。硬貨払出ユニット１４６、１４８は、硬貨貯留容器１５２、１５４に貯留された硬貨を一枚ずつ分離して払い出すと共に、払い出された硬貨を硬貨払出センサ（図示せず）により計数する。硬貨払出ユニット１４６の下方には共通シュート１７２（後述）に硬貨を案内するシュート１５６が配置され、硬貨払出ユニット１４８の下方には共通シュート１７２に硬貨を案内するシュート１５８が配置される。硬貨払出ユニット１４６、１４８により払い出された硬貨は、シュート１５６、１５８を介して共通シュート１７２に導入される。紙幣入出金ユニット１４４は、紙幣入金口１１６に投入された紙幣の真偽および金種を判別し、１００００円紙幣および５０００円紙幣を第１紙幣収納庫（図示せず）に収納すると共に１０００円紙幣を第２紙幣収納庫（図示せず）に収納し、第２紙幣収納庫に収納された１０００円紙幣を両替紙幣として紙幣出金口１１８に払い出す。棚部材１３９で区画された筐体１０２の下段には、右側に電源ユニット１６２が配置されている。電源ユニット１６２は、タッチパネル式表示装置１０８、人感センサ１３０、監視カメラ１３６、制御ユニット１４２、紙幣入出金ユニット１４４、硬貨払出ユニット１４６、１４８、後述の硬貨選別ユニット１６２、制御ＰＣ１７４等に電力を供給する。筐体１０２の上部右隅には、前扉１０４の開閉状態を検知するドアスイッチ１６０が配置される。
【００２４】
前扉１０４の裏面側において、中央部には硬貨選別ユニット１６２が配置されている。硬貨選別ユニット１６２は、投入口（図示せず）に投入された硬貨の真偽および金種を判別し、５００円正貨を第１正貨口（図示せず）から放出し、１００円正貨を第２正貨口（図示せず）から放出すると共に、偽貨または５００円、１００円以外の硬貨を返却硬貨として返却口（図示せず）から放出する。硬貨選別ユニット１６２の下方には硬貨金庫１６６、１６８が配置されている。硬貨金庫１６６には５００円硬貨が収納され、硬貨金庫１６８には１００円硬貨が収納される。硬貨選別ユニット１６２の投入口の上方には、硬貨投入口１２０に投入された硬貨を硬貨選別ユニット１６２の投入口へ案内するシュート１６３が配置されている。硬貨選別ユニット１６２の第１正貨口の下方には、硬貨選別ユニット１６２で正貨として選別された５００円硬貨を硬貨金庫１６６へ案内するシュート１６４が配置される。硬貨選別ユニット１６２の第２正貨口の下方には、硬貨選別ユニット１６２で正貨として選別された１００円硬貨を硬貨金庫１６８へ案内するシュート１６５が配置される。図２におけるシュート１６５の右側には、第１通路１７２ａおよび第２通路１７２ｂを有する共通シュート１７２が配置されている。硬貨選別ユニット１６２の返却口の下方には、返却硬貨を共通シュート１７２の第２通路１７２ｂに案内するシュート１７３が配置される。共通シュート１７２の第１通路１７２ａには、硬貨払出ユニット１４６から払い出された１００円硬貨がシュート１５６を介して導入される。共通シュート１７２の第２通路１７２ｂには、硬貨払出ユニット１４８から払い出された５００円硬貨がシュート１５８を介して導入される。共通シュート１７２は、硬貨選別ユニット１６２からの返却硬貨、硬貨払出ユニット１４６からの１００円硬貨および硬貨払出ユニット１４８からの５００円硬貨を硬貨払出口１２４に案内する。硬貨選別ユニット１６２の右斜め上方には制御ＰＣ１７４が配置される。制御ＰＣ１７４は、制御ユニット１４２と通信可能に接続されると共に、タッチパネル式表示装置１０８と電気的に接続される。制御ＰＣ１７４は、制御ユニット１４２から送信される指令に応じてタッチパネル式表示装置１０８に各種情報、映像および操作画面を表示すると共に、タッチパネル式表示装置１０８における操作情報を制御ユニット１４２に送信する。
【００２５】
次に、図３を参照しながら、制御ユニット１４２および制御ＰＣ１７４について説明する。まず、制御ユニット１４２について説明する。制御ユニット１４２は、入力キー２０２、表示器２０４および記憶部２０６を含んで構成される。入力キー２０２は、両替機１００の管理者（例えば、ゲーム場の店員）により操作され、制御ユニット１４２の入力装置として機能する。入力キー２０２の操作により制御ユニット１４２に対して設定情報の表示が指定された場合、制御ユニット１４２は表示器２０４に設定情報を表示する。入力キー２０２の操作により制御ユニット１４２に対して設定情報が入力された場合、制御ユニット１４２は入力された設定情報を記憶部２０６に記憶する。入力キー２０２の操作により制御ユニット１４２に対して設定情報の削除が指定された場合、制御ユニット１４２は指定された設定情報を記憶部２０６から削除する。上記設定情報の表示、入力および削除は、表示器２０４に表示された項目を入力キー２０２で選択しながら行うことができる。
【００２６】
記憶部２０６には、図４に示すように、設定情報として、両替動作における交換条件が記憶されている。交換条件とは、両替対象貨幣を両替する際の貨幣の金種および枚数を示すものである。図４に示すように、複数の操作ボタン１１４のボタン番号に対応して交換条件がそれぞれ設定されている。すなわち、「ボタン番号」毎に両替時の金種を示す「両替メニュー」が設定され、各「両替メニュー」のそれぞれに対して入金金種（換言すれば、両替対象の金種）に対応する出金金種および枚数が設定されている。例えば、「ボタン番号」が「１」の場合には、「１０００円」紙幣への両替となり、入金金種が「１００００円」紙幣であれば、「１０００円」紙幣１０枚の交換条件Ａとなる。入金金種が「５０００円」紙幣であれば「１０００円」紙幣５枚の交換条件Ｂとなる。
【００２７】
「ボタン番号」が「２」の場合には、「１００円」硬貨への両替となり、入金金種が「１００００円」紙幣であれば、「１０００円」紙幣９枚および「１００円」硬貨１０枚の交換条件Ｃとなる。入金金種が「５０００円」紙幣であれば「１０００円」紙幣４枚および「１００円」硬貨１０枚の交換条件Ｄとなる。入金金種が「１０００円」紙幣であれば「１００円」硬貨１０枚の交換条件Ｅとなる。入金金種が「５００円」硬貨であれば「１００円」硬貨５枚の交換条件Ｆとなる。
【００２８】
「ボタン番号」が「３」の場合には、「１００円」硬貨２０枚への両替となり、入金金種が「１００００円」紙幣であれば、「１０００円」紙幣８枚および「１００円」硬貨２０枚の交換条件Ｇとなる。入金金種が「５０００円」紙幣であれば「１０００円」紙幣３枚および「１００円」硬貨２０枚の交換条件Ｈとなる。
【００２９】
「ボタン番号」が「４」の場合には、「５００円」硬貨１枚および「１００円」硬貨５枚への両替となり、入金金種が「１００００円」紙幣であれば、「１０００円」紙幣９枚、「５００円」硬貨１枚および「１００円」硬貨５枚の交換条件Ｉとなる。入金金種が「５０００円」紙幣であれば「１０００円」紙幣４枚、「５００円」硬貨１枚および「１００円」硬貨５枚の交換条件Ｊとなる。入金金種が「１０００円」紙幣であれば「５００円」硬貨１枚および「１００円」硬貨５枚の交換条件Ｋとなる。
「ボタン番号」が「５」の場合には、「１００円」硬貨５枚を「５００円」硬貨１枚に逆両替する交換条件Ｌとなる。
【００３０】
制御ユニット１４２は、紙幣入出金ユニット１４４、硬貨選別ユニット１６２、硬貨払出ユニット１４６、１４８、人感センサ１３０、ドアスイッチ１６０およびメンテナンス錠１３２と電気的に接続されている。制御ユニット１４２には、紙幣入出金ユニット１４４から出力される紙幣識別信号ＢＶＳおよび紙幣出金完了信号ＢＥＳが入力される。制御ユニット１４２は、入力された紙幣識別信号ＢＶＳに基づいて紙幣入出金ユニット１４４の紙幣入金口１１６を介して紙幣入出金ユニット１４４に入金された紙幣の金種および枚数を一時的に記憶する。制御ユニット１４２は、紙幣入出金ユニット１４４に対して紙幣払出信号ＢＤＳを出力する。紙幣入出金ユニット１４４は、入力された紙幣払出信号ＢＤＳに応じて１０００円紙幣を紙幣出金口１１８に払い出す。紙幣入出金ユニット１４４は、１０００円紙幣の払い出しが完了すると、制御ユニット１４２に紙幣出金完了信号ＢＥＳを出力する。制御ユニット１４２は、紙幣出金完了信号ＢＥＳが入力された時点で紙幣の出金が完了したと判断する。
【００３１】
制御ユニット１４２には、硬貨選別ユニット１６２から硬貨識別信号ＣＶＳが入力される。制御ユニット１４２は、入力された硬貨識別信号ＣＶＳに基づき硬貨投入口１２０を介して硬貨選別ユニット１６２に投入された硬貨の金種および枚数を一時的に記憶する。制御ユニット１４２は、硬貨払出ユニット１４６に硬貨払出信号ＣＤＳ１を出力し、硬貨払出ユニット１４８に硬貨払出信号ＣＤＳ２を出力する。硬貨払出ユニット１４６は硬貨払出信号ＣＤＳ１に基づいて１００円硬貨を払い出し、硬貨払出ユニット１４８は硬貨払出信号ＣＤＳ２に基づいて５００円硬貨を払い出す。硬貨払出ユニット１４６、１４８から払い出された１００円硬貨、５００円硬貨は硬貨払出口１２４を介して硬貨受皿１２６に貯留される。硬貨払出ユニット１４６は、１００円硬貨の払い出しが完了すると、硬貨出金完了信号ＣＥＳ１を制御ユニット１４２に出力する。硬貨払出ユニット１４８は、５００円硬貨の払い出しが完了すると、硬貨出金完了信号ＣＥＳ１を制御ユニット１４２に出力する。制御ユニット１４２は、硬貨出金完了信号ＣＥＳ１が入力された時点で１００円硬貨の出金が完了したと判断し、硬貨出金完了信号ＣＥＳ２が入力された時点で５００円硬貨の出金が完了したと判断する。
【００３２】
制御ユニット１４２は、紙幣識別信号ＢＶＳまたは硬貨識別信号ＣＶＳに基づいて入金情報ＩＭＩを制御ＰＣ１７４に送信する。また、制御ユニット１４２は、後述の制御ＰＣ１７４から送信される操作情報ＯＰＩに基づいて交換条件を決定し、当該交換条件に対応する出金情報ＯＭＩを制御ＰＣ１７４に送信する。さらに、紙幣出金完了信号ＢＥＳまたは硬貨出金完了信号ＣＥＳ１、ＣＥＳ２に基づいて出金完了情報ＯＥＩを制御ＰＣ１７４に出力する。
【００３３】
制御ユニット１４２には、人感センサ１３０から出力される人感信号ＨＤＳが入力され、ドアスイッチ１６０から出力される前扉開閉信号ＤＳＳが入力され、メンテナンス錠１３２から出力されるメンテナンス錠信号ＭＫＳが入力される。制御ユニット１４２は、人感信号ＨＤＳ、前扉開閉信号ＤＳＳまたはメンテナンス錠信号ＭＫＳに基づいて、広告表示指令ＡＤＩ、両替表示指令ＥＤＩ、前扉開放情報ＤＯＩ、前扉閉鎖情報ＤＣＩまたはメンテナンス画面表示指令ＭＰＩを制御ＰＣ１７４に送信する。人感センサ１３０が所定時間検知しないときには、制御ユニット１４２が広告表示指令ＡＤＩを送信する。人感センサ１３０が検知したときには、制御ユニット１４２が両替表示指令ＥＤＩを送信する。メンテナンス錠１３２が操作されたときには、制御ユニット１４２がメンテナンス画面表示指令ＭＰＩを送信する。ドアスイッチ１６０がオンからオフになったときには、制御ユニット１４２が前扉開放情報ＤＯＩを送信する。ドアスイッチ１６０がオフからオンになったときには、制御ユニット１４２が前扉閉鎖情報ＤＣＩを送信する。
【００３４】
次に、制御ＰＣ１７４について説明する。制御ＰＣ１７４は、中央処理装置としてのＣＰＵ（Central Processing Unit）１８２、揮発性記憶装置としてのＲＡＭ（Random Access Memory）１８３および不揮発性記憶装置としてのフラッシュメモリ１８４を含んで構成される。フラッシュメモリ１８４には、ＯＳ（Operating System）、制御ＰＣ１７４としての動作を実行するためのプログラムおよびデータが記憶されている。両替機１００の電源がオンされたときに、フラッシュメモリ１８４の内容の全てがＲＡＭ１８３にコピーされ、ＣＰＵはＲＡＭ１８３に記憶されたＯＳ、プログラムおよびデータにより制御ＰＣ１７４としての動作を実行する。制御ＰＣ１７４は、制御ユニット１４２から送信される広告表示指令ＡＤＩ、両替表示指令ＥＤＩ、メンテナンス画面表示指令ＭＰＩ、前扉開放情報ＤＯＩ、前扉閉鎖情報ＤＣＩ、入金情報ＩＭＩ、出金情報ＯＭＩまたは出金完了情報ＯＥＩのそれぞれに応じて所定の動作を実行する。ＲＡＭ１８３は、監視カメラ１３６で所定時間撮影された監視映像を一時記憶する。
【００３５】
制御ＰＣ１７４は、タッチパネル式表示装置１０８、スピーカ１３４、監視カメラ１３６およびＵＳＢメモリ１８６と電気的に接続されている。制御ＰＣ１７４はタッチパネル式表示装置１０８に映像信号ＰＤＳを出力し、タッチパネル式表示装置１０８は入力された映像信号ＰＤＳに基づいて各種情報、映像および操作画面を表示部１１０に表示する。タッチパネル式表示装置１０８は、タッチパネル１１２に対するタッチ操作に応じた操作信号ＯＰＳを制御ＰＣ１７４に出力する。制御ＰＣ１７４は、入力された操作信号ＯＰＳに基づく操作情報ＯＰＩを制御ユニット１４２に送信する。制御ＰＣ１７４はスピーカ１３４に音声信号ＡＤＳを出力し、スピーカ１３４は入力された音声信号ＡＤＳに基づき音声を再生する。制御ＰＣ１７４はカメラ制御信号ＣＣＳを監視カメラ１３６に出力し、監視カメラ１３６はカメラ制御信号ＣＣＳに基づいて撮影した映像ＭＤに対応する映像信号ＭＤＳを制御ＰＣ１７４に出力する。ＵＳＢメモリ１８６は、記憶された広告映像ＰＤおよび監視映像ＰＭを制御ＰＣ１７４に出力すると共に、制御ＰＣ１７４から出力される監視映像ＰＭを記憶する。
【００３６】
制御ユニット１４２および制御ＰＣ１７４が制御装置１９２を構成し、制御装置１９２、タッチパネル式表示装置１０８、監視カメラ１３６およびＵＳＢメモリ１８６が監視装置１９０を構成する。
【００３７】
＜両替機の動作＞
次に、図５を参照しながら、両替機１００の動作について説明する。まず両替機１００の電源がオンされると、ステップＳ１において広告映像ＰＤがタッチパネル式表示装置１０８の表示部１１０に表示される（図１３（Ａ）参照）。すなわち、制御装置１９２の制御ＰＣ１７４がＵＳＢメモリ１８６に記憶された広告映像ＰＤを表示部１１０に表示する。広告映像ＰＤは、商品またはサービス等の広告を表示する映像であり、例えば、図１３（Ａ）に示すように競馬ゲームの広告映像ＰＤがタッチパネル式表示装置１０８の表示部１１０の全体に亘って表示される。広告映像ＰＤが高精細・高画質の動画である場合であっても、制御ＰＣ１７４を汎用ＰＣと同一または同等のハードウェアおよびソフトウェアで構成することにより比較的安価に実現できる。
【００３８】
次のステップＳ２では、タッチ操作の有無が判定される。すなわち、タッチパネル式表示装置１０８のタッチパネル１１２へのタッチ操作があると、制御装置１９２の制御ＰＣ１７４が操作情報ＯＰＩを制御ユニット１４２に送信する。制御装置１９２の制御ユニット１４２は、制御装置１９２の制御ＰＣ１７４からの操作情報ＯＰＩを受信したか否かに基づきタッチ操作の有無を判定する。タッチ操作があると判定されたときにはステップＳ５に進み、タッチ操作がないと判定されたときにはステップＳ４に進む。ステップＳ４では、人感センサ１３０による検知がなされたか否かが判定される。すなわち、制御装置１９２の制御ユニット１４２が人感センサ１３０から出力される人感信号ＨＤＳに基づいて人感センサ１３０による検知を判定する。人感センサ１３０により検知されたときにはステップＳ５に進み、人感センサ１３０により検知されないときにはステップＳ２に戻り、ステップＳ２〜Ｓ４が繰り返し実行される。これにより、タッチパネル式表示装置１０８のタッチパネル１１２へのタッチ操作または人感センサ１３０による検知のいずれかがなされるまでは広告映像ＰＤが表示部１１０に表示される。
【００３９】
タッチパネル式表示装置１０８へのタッチ操作または人感センサ１３０による検知のいずれかがなされたときに実行されるステップＳ５では、操作画面１１５、監視映像ＰＭ、入金情報ＩＭＩおよび広告映像ＰＤがタッチパネル式表示装置１０８の表示部１１０に分割表示される。例えば、図１３（Ｂ）に示すようにタッチパネル式表示装置１０８の表示部１１０を４分割し、左上表示領域３０２に広告映像ＰＤを表示し、下表示領域３０４に操作ボタン１１４ａ、１１４ｂ、１１４ｃ、１１４ｄ、１１４ｅを含む操作画面１１５を表示し、右上表示領域３０６に入金情報ＩＭＩを表示し、右上隅表示領域３０８に監視映像ＰＭを表示する。制御装置１９２の制御ＰＣ１７４は、フラッシュメモリ１８４に記憶された操作画面情報に基づき操作画面１１５を表示し、ＵＳＢメモリ１８６に記憶された広告映像ＰＤを表示し、制御装置１９２の制御ユニット１４２から送信された入金情報ＩＭＩを表示し、監視カメラ１３６で撮影された映像ＭＤを監視映像ＰＤとして表示する。監視映像ＰＭは、年月日時刻（時分秒）を示すタイム情報ＴＩと共にリアルタイムで表示される。これにより、利用者は監視映像ＰＭを意識することになり、貨幣（特に、紙幣）の入金や出金に対する利用者の勘違いによるクレームを抑止する効果が得られる。また、後述するように監視映像ＰＭは、ＵＳＢメモリ１８６に記憶されるので、所望のときに制御ＰＣ１７４によりタッチパネル式表示装置１０８の表示部１１０で再生することができる。これにより、利用者のクレームがあった場合にも検証可能となり、トラブルを回避することができる。
【００４０】
次のステップＳ６では、メンテナンス錠１３２が操作されたか否かかが判定される。すなわち、制御装置１９２の制御ユニット１４２がメンテナンス錠１３２から出力されるメンテナンス錠信号ＭＫＳに基づいてメンテナンス錠１３２の操作の有無を判定する。メンテナンス錠１３２が操作されたと判定されたときはステップＳ７に進み、メンテナンス錠１３２が操作されていないと判定されたときはステップＳ１１に進む。
【００４１】
ステップＳ７では、監視映像ＰＭがＵＳＢメモリ１８６に記憶される。すなわち、制御装置１９２の制御ＰＣ１７４が監視カメラ１３６により撮影された映像ＭＤを監視映像ＰＭとしてＵＳＢメモリ１８６に記憶する。この場合、監視カメラ１３６により撮影された所定時間の映像ＭＤが、制御ＰＣ１７４のＲＡＭ１８３に逐次記憶される。そして、メンテナンス錠１３２が操作された時刻から所定時間遡った時刻に撮影が開始される映像ＭＤをＲＡＭ１８３から読み出し、読み出された映像ＭＤが監視映像ＰＭとしてＵＳＢメモリ１８６に記憶される。例えば、ＲＡＭ１８３に一時記憶される映像ＭＤの所定時間をΔｔ０とし、ＵＳＢメモリ１８６に記憶される監視映像ＰＭの所定時間をΔｔ１とする。このとき、「Δｔ０＞Δｔ１」の関係が成立するように時間Δｔ０と時間Δｔ１が設定される。メンテナンス錠１３２が操作された時刻をｔｍとすると、ＲＡＭ１８３に記憶された時刻「ｔｍ−Δｔ１」から時刻ｔｍまでの映像ＭＤが監視映像ＰＭとしてＵＳＢメモリ１８６に記憶される。さらに、本実施形態では、時間Δｔ１に含まれる映像フレームの一部のみを抽出したものを監視映像ＰＭとして記憶する。例えば、３０枚／秒の映像フレームを３枚／秒に間引くことにより、ＵＳＢメモリ１８６に記憶可能な監視映像ＰＭの時間を１０倍とすることができる。
【００４２】
次のステップＳ８では、図１５（Ａ）に示すメンテナンス画面ＭＰがタッチパネル式表示装置１０８の表示部１１０に表示される。メンテナンス画面ＭＰの詳細は後述する。次のステップＳ９では、メンテナンス画面ＭＰが終了されたか否かが判定される。すなわち、制御装置１９２の制御ＰＣ１７４がメンテナンス画面ＭＰの終了の有無を判定する。メンテナンス画面ＭＰが終了されていないと判定されたときにはステップＳ８に戻り、メンテナンス画面ＭＰが終了されたと判定されたときにはステップＳ１０に進む。ステップＳ１０では、ステップＳ７の場合と同様に、制御装置１９２の制御ＰＣ１７４により、メンテナンス画面ＭＰの終了時刻から所定時間Δｔ１遡った時刻に撮影が開始される監視映像ＰＭがＵＳＢメモリ１８６に記憶される。こうして、メンテナンス画面ＭＰの表示の開始時および終了時のそれぞれにおいて所定時間Δｔ１遡った時刻から開始される監視映像ＰＭがＵＳＢメモリ１８６に記憶される。換言すれば、メンテナンス画面ＭＰの表示の開始および終了にそれぞれ対応する事象が生起される時刻から所定時間Δｔ１遡った時刻から撮影が開始される映像ＭＤが監視映像ＰＭとしてＵＳＢメモリ１８６に記憶される。ステップＳ１０の実行後、ステップＳ５に戻る。
【００４３】
ステップＳ６でメンテナンス錠１３２が操作されていないと判定されたときに実行されるステップＳ１１では、前扉１０４の開放が検知されたか否かが判定される。すなわち、前扉開閉信号ＤＳＳに基づいてドアスイッチ１６０がオンからオフに変化したか否かが制御装置１９２の制御ユニット１４２により判定される。ドアスイッチ１６０がオンからオフに変化したときには前扉１０４が開放された判定されてステップＳ１２に進み、ドアスイッチ１６０がオンの状態を維持しているときには前扉１０４が閉鎖されたままであると判定されて図６のステップＳ２１に進む。ステップＳ１２では、上述のステップＳ７、Ｓ１０と同様に、制御装置１９２の制御ＰＣ１７４により、前扉１０４の開放が検知された時刻から所定時間Δｔ１遡った時刻に撮影が開始される映像ＭＤが監視映像ＰＭとしてＵＳＢメモリ１８６に記憶される。続くステップＳ１３では、図１４に示すように監視映像ＰＭがタッチパネル式表示装置１０８の表示部１１０に表示される。すなわち、監視カメラ１３６により撮影された映像ＭＤが監視映像ＰＭとしてタイム情報ＴＩと共にリアルタイムで表示される。この監視映像ＰＭは、ゲーム場の利用者や他の店員により視認されるので、メンテナンス作業を行う店員は監視されていることを感取し、これにより不正行為が抑止される。
【００４４】
次のステップＳ１４では、前扉１０４が閉鎖されたか否かが判定される。すなわち、前扉開閉信号ＤＳＳに基づいてドアスイッチ１６０がオフからオンに変化したか否かが制御装置１９２の制御ユニット１４２により判定される。ドアスイッチ１６０がオフからオンに変化したときには前扉１０４が閉鎖されたと判定されてステップＳ１５に進み、ドアスイッチ１６０がオフの状態を維持しているときには前扉１０４が開放されたままであると判定されてステップＳ１３に戻る。ステップＳ１５では、上述のステップＳ１２と同様に、前扉１０４の閉鎖が検知された時刻から所定時間Δｔ１遡った時刻に撮影が開始される映像ＭＤが監視映像ＰＭとしてＵＳＢメモリ１８６に記憶される。こうして、前扉１０４の開放時および閉鎖時のそれぞれにおいて所定時間Δｔ１遡った時刻から撮影が開始される映像ＭＤが監視映像ＰＭとしてＵＳＢメモリ１８６に記憶される。換言すれば、前扉１０４の開放および閉鎖にそれぞれ対応する事象が生起される時刻から所定時間Δｔ１遡った時刻から撮影が開始される映像ＭＤが監視映像ＰＭとしてＵＳＢメモリ１８６に記憶される。ステップＳ１５の実行後、ステップＳ５に戻る。
【００４５】
図６のステップＳ２１〜Ｓ３６では、両替処理が実行される。この両替処理は、ステップＳ５において操作画面１１５がタッチパネル式表示装置１０８の表示部１１０に表示された状態で実行される。ここでは、一例として、図４に示す交換条件Ａ〜Ｌが制御ユニット１４２の記憶部２０６に記憶され、図１３（Ｂ）に示す操作画面１１５が表示される場合について説明する。
【００４６】
まず、図１３（Ｂ）の操作画面１１５の操作ボタン１１４ａ〜１１４ｅについて簡単に説明する。操作ボタン１１４ａは、図４のボタン番号「１」に対応し、「１０００円に両替」するときに選択される。操作ボタン１１４ｂは、図４のボタン番号「２」に対応し、「１００円に両替」（１００円硬貨１０枚に両替）するときに選択される。操作ボタン１１４ｃは、図４のボタン番号「３」に対応し、「１００ｘ２０」（１００円硬貨２０枚）に両替するときに選択される。操作ボタン１１４ｄは、図４のボタン番号「４」に対応し、「５００ｘ１、１００ｘ５」（５００円硬貨１枚および１００円硬貨５枚）に両替するときに選択される。操作ボタン１１４ｅは、図４のボタン番号「５」に対応し、「５００ｘ１」（５００円硬貨１枚）に逆両替するときに選択される。
【００４７】
図６のステップＳ２１では、操作ボタン１１４の操作があったか否かが判定される。すなわち、制御装置１９２の制御ＰＣ１７４がタッチパネル式表示装置１０８から出力される操作信号ＯＰＳに基づいて操作ボタン１１４ａ〜１１４ｅのいずれかが選択的に操作されたかを判別する。操作ボタン１１４の操作があったときにはステップＳ２２に進み、操作ボタン１１４の操作がないときにはステップＳ２５に進む。ステップＳ２２では、入金が検知されたか否かが判定される。すなわち、制御装置１９２の制御ユニット１４２が紙幣入出金ユニット１４４から紙幣識別信号ＢＶＳが出力された場合または硬貨選別ユニット１６２から硬貨識別信号ＣＶＳが出力された場合に入金が検知されたと判定する。入金が検知されたときにはステップＳ２３に進み、入金が検知されないときにはステップＳ２２が繰り返し実行される。換言すれば、入金が検知されるまでは待機状態となる。続くステップＳ２３では、入金が完了したか否かが判定される。すなわち、制御装置１９２の制御ユニット１４２が紙幣入出金ユニット１４４から出力される紙幣識別信号ＢＶＳに基づいて入金された紙幣の金種を判別する。または、制御装置１９２の制御ユニット１４２が硬貨選別ユニット１６２から出力される硬貨識別信号ＣＶＳに基づいて入金された硬貨の金種を判別する。これにより、入金金額が確定され、その時点で入金が完了したと判定する。入金が完了したときにはステップＳ２４に進み、入金が完了しないときにはステップＳ２３が繰り返し実行される。換言すれば、入金が完了するまでは待機状態となる。次のステップＳ２４では、監視映像ＰＭがＵＳＢメモリ１８６に記憶される。すなわち、上述のステップＳ７、Ｓ１０と同様に、制御装置１９２の制御ＰＣ１７４により、入金が完了した時刻から所定時間Δｔ１遡った時刻に撮影が開始される映像ＭＤが監視映像ＰＭとしてＵＳＢメモリ１８６に記憶される。ステップＳ２４が実行された後、ステップＳ２９に進む。
【００４８】
ステップＳ２１で操作ボタン１１４の操作がないと判定されたときに実行されるステップＳ２５では、入金が検知されたか否かが判定される。すなわち、ステップＳ２２と同様に、制御装置１９２の制御ユニット１４２が紙幣入出金ユニット１４４から紙幣識別信号ＢＶＳが出力された場合または硬貨選別ユニット１６２から硬貨識別信号ＣＶＳが出力された場合に入金が検知されたと判定する。入金が検知されたときにはステップＳ２６に進み、入金が検知されないときには図５のステップＳ６に戻る。続くステップＳ２６では、ステップＳ２３と同様に、入金が完了したか否かが判定される。すなわち、制御装置１９２の制御ユニット１４２が紙幣入出金ユニット１４４から出力される紙幣識別信号ＢＶＳに基づいて入金された紙幣の金種を判別する。または、制御装置１９２の制御ユニット１４２が硬貨選別ユニット１６２から出力される硬貨識別信号ＣＶＳに基づいて入金された硬貨の金種を判別する。これにより、入金金額が確定され、その時点で入金が完了したと判定する。入金が完了したときにはステップＳ２７に進み、入金が完了しないときにはステップＳ２６が繰り返し実行される。換言すれば、入金が完了するまでは待機状態となる。次のステップＳ２７では、ステップＳ２４と同様に、制御装置１９２の制御ＰＣ１７４により、入金が完了した時刻から所定時間Δｔ１遡った時刻に撮影が開始される映像ＭＤが監視映像ＰＭとしてＵＳＢメモリ１８６に記憶される。続くステップＳ２８では、ステップＳ２１と同様に、制御装置１９２の制御ＰＣ１７４がタッチパネル式表示装置１０８から出力される操作信号ＯＰＳに基づいて操作ボタン１１４ａ〜１１４ｅのいずれかが選択的に操作されたかを判別する。操作ボタン１１４の操作があったときにはステップＳ２９に進み、操作ボタン１１４の操作がないときにはステップＳ２８が繰り返し実行される。換言すれば、操作ボタン１１４の操作があるまでは待機状態となる。
【００４９】
次のステップＳ２９では、交換条件Ａ〜Ｌのいずれを適用するかが決定される。換言すれば、出金する貨幣の金種および枚数が決定される。すなわち、制御装置１９２の制御ＰＣ１７４が、ステップＳ２１またはステップＳ２８で判別された操作ボタン１１４ａ〜１１４ｅとステップＳ２３またはステップＳ２６で判別された入金貨幣の金種とに基づいて、交換条件Ａ〜Ｌのうちの一つを適用すべき交換条件（以下、適用交換条件という）として決定する。例えば、操作ボタン１１４ａが操作され、１００００円紙幣が入金された場合、交換条件Ａ（１０００円紙幣１０枚）が適用交換条件として決定される。操作ボタン１１４ｃが操作され、５０００円紙幣が入金された場合、交換条件Ｈ（１０００円紙幣３枚、１００円硬貨２０枚）が適用交換条件として決定される。
【００５０】
次のステップＳ３０では、ステップＳ２９で決定された適用交換条件に紙幣の出金があるか否かが制御装置１９２の制御ユニット１４２により判定される。紙幣の出金があると判定されたときにはステップＳ３１に進み、紙幣の出金がないと判定されたときにはステップＳ３２に進む。
【００５１】
次のステップＳ３１では、紙幣入出金ユニット１４４が作動される。すなわち、制御装置１９２の制御ユニット１４２が紙幣払出信号ＢＤＳを紙幣入出金ユニット１４４に出力し、紙幣入出金ユニット１４４が紙幣払出信号ＢＤＳに基づいて１０００円紙幣を紙幣出金口１１８に払い出す。例えば、適用交換条件が交換条件Ｊである場合には、１０００円紙幣４枚を払い出す紙幣払出信号ＢＤＳが制御装置１９２の制御ユニット１４２から出力され、紙幣入出金ユニット１４４が１０００円紙幣を４枚払い出す。
【００５２】
次のステップＳ３２では、ステップＳ２９で決定された適用交換条件に５００円硬貨の出金があるか否かが制御装置１９２の制御ユニット１４２により判定される。５００円硬貨の出金があると判定された場合にはステップＳ３３に進み、５００円硬貨の出金がないと判定された場合にはステップＳ３４に進む。
【００５３】
次のステップＳ３３では、５００円硬貨の硬貨払出ユニット１４８が作動される。すなわち、制御装置１９２の制御ユニット１４２が硬貨払出信号ＣＤＳ２を硬貨払出ユニット１４８に出力し、硬貨払出ユニット１４８が硬貨払出信号ＣＤＳ２に基づいて５００円硬貨を硬貨払出口１２４に払い出す。例えば、適用交換条件が交換条件Ｊである場合には、５００円硬貨１枚を払い出す硬貨払出信号ＣＤＳ２が制御ユニット１４２から出力され、硬貨払出ユニット１４８が５００円硬貨を１枚払い出す。
【００５４】
次のステップＳ３４では、ステップＳ２９で決定された適用交換条件に１００円硬貨の出金があるか否かが制御装置１９２の制御ユニット１４２により判定される。１００円硬貨の出金があると判定された場合にはステップＳ３５に進み、１００円硬貨の出金がないと判定された場合にはステップＳ３６に進む。
【００５５】
次のステップＳ３５では、１００円硬貨の硬貨払出ユニット１４６が作動される。すなわち、制御装置１９２の制御ユニット１４２が硬貨払出信号ＣＤＳ１を硬貨払出ユニット１４６に出力し、硬貨払出ユニット１４６が硬貨払出信号ＣＤＳ１に基づいて１００円硬貨を硬貨払出口１２４に払い出す。例えば、適用交換条件が交換条件Ｊである場合には、１００円硬貨５枚を払い出す硬貨払出信号ＣＤＳ１が制御ユニット１４２から出力され、硬貨払出ユニット１４６が１００円硬貨を５枚払い出す。
【００５６】
ステップＳ２９〜Ｓ３５が実行されることによって出金が完了する。次のステップＳ３６では、ステップＳ２４およびステップＳ２７と同様に、出金が完了した時刻から所定時間Δｔ１遡った時刻に撮影が開始される映像ＭＤが監視映像ＰＭとしてＵＳＢメモリ１８６に記憶される。なお、出金が完了する時刻は、交換条件Ａ〜Ｌのいずれが適用されるかによって異なるが、１０００円紙幣の出金、５００円硬貨の出金および１００円硬貨の出金は、それぞれが並行して行われるため、その時間差はほぼ無視できる範囲である。
【００５７】
次のステップＳ３７では、所定時間が経過したか否かが判定される。すなわち、制御装置１９２の制御ユニット１４２が所定の条件で所定の時間が経過したか否かを判定する。例えば、ステップＳ５において操作画面１１５、監視映像ＰＭ、入金情報ＩＭＩおよび広告映像ＰＤがタッチパネル式表示装置１０８の表示部１１０に表示された状態で人感センサ１３０による非検知時間が５分間継続した場合に所定時間が経過したと判定する。所定時間が経過したときには図５のステップＳ２に戻り、タッチパネル式表示装置１０８の表示部１１０に広告映像ＰＤが表示される。所定時間が経過していないときには図５のステップＳ６に戻り、操作画面１１５、監視映像ＰＭ、入金情報ＩＭＩおよび広告映像ＰＤが表示された状態が継続される。
【００５８】
＜制御ユニットの動作＞
次に、図７および図８を参照しながら、制御ユニット１４２の動作について説明する。まず、ステップＳ４１では、広告表示指令ＡＤＩが送信される。次のステップＳ４２では、操作情報ＯＰＩを受信したか否かが判定される。操作情報ＯＰＩを受信したと判定されたときにはステップＳ４４に進み、操作情報ＯＰＩを受信していないときにはステップＳ４３に進む。続くステップＳ４３では、人感センサ１３０が人の存在を検知した否かが判定される。人感センサ１３０が検知したときにはステップＳ４４に進み、人感センサ１３０が検知しないときにはステップＳ４２に戻る。これにより、操作情報ＯＰＩの受信および人感センサ１３０の検知のいずれか一方の場合にステップＳ４４が実行され、それ以外の場合には待機状態となる。
【００５９】
次のステップＳ４４では、両替表示指令が送信される。続くステップＳ４５では、メンテナンス錠１３２が操作されたか否かが判定される。メンテナンス錠１３２が操作されたときにはステップＳ４６に進み、メンテナンス錠１３２が操作されないとうきにはステップＳ４７に進む。次のステップＳ４６では、メンテナンス画面表示指令ＭＰＩが送信される。換言すれば、メンテナンス錠１３２が操作された場合にのみ、メンテナンス画面表示指令ＭＰＩが送信される。
【００６０】
次のステップＳ４７では、前扉１０４の開放を検知したか否かが判定される。前扉１０４の開放が検知されたときにはステップＳ４８に進み、前扉１０４の開放が検知されないときには図８のステップＳ５１に進む。次のステップＳ４８では、前扉開放情報ＤＯＩが送信される。次のステップＳ４９では、前扉１０４の閉鎖を検知したか否かが判定される。前扉１０４の閉鎖が検知されたときにはステップＳ５０に進み、前扉１０４の閉鎖が検知されないときにはステップＳ４９が繰り返し実行される。次のステップＳ５０では、前扉閉鎖情報ＤＣＩが送信される。換言すれば、前扉１０４の開放が検知された場合にのみ前扉開放情報ＤＯＩが送信され、その後の前扉１０４の閉鎖に応じて前扉閉鎖情報ＤＣＩが送信される。
【００６１】
図８のステップＳ５１では、操作情報ＯＰＩを受信したか否かが判定される。操作情報ＯＰＩを受信したときにはステップＳ５２に進み、操作情報ＯＰＩを受信しないときにはステップＳ５５に進む。ステップＳ５２では、紙幣識別信号ＢＶＳが入力されたか否かが判定される。紙幣識別信号ＢＶＳが入力されたときにはステップＳ５３に進み、紙幣識別信号ＢＶＳが入力されないときにはステップＳ５４に進む。ステップＳ５４では、硬貨識別信号ＣＶＳが入力されたか否かが判定される。硬貨識別信号ＣＶＳが入力されたときにはステップＳ５３に進み、硬貨識別信号ＣＶＳが入力されないときにはステップＳ５２に戻る。ステップＳ５３では、入金情報ＩＭＩが送信される。換言すれば、操作情報ＯＰＩを受信した場合には、紙幣識別信号ＢＶＳおよび硬貨識別信号ＣＶＳのいずれか一方が入力されるまでは待機状態となる。そして、入力された紙幣識別信号ＢＶＳおよび硬貨識別信号ＣＶＳのいずれか一方によって入金情報ＩＭＩが確定され、当該入金情報ＩＭＩが送信される。その後、ステップＳ５９に進む。
【００６２】
ステップＳ５１で操作情報ＯＰＩを受信しないときに実行されるステップＳ５５では、紙幣識別信号ＢＶＳが入力されたか否かが判定される。紙幣識別信号ＢＶＳが入力されたと判定されたときにはステップＳ５６に進み、紙幣識別信号ＢＶＳが入力されないときにはステップＳ５７に進む。ステップＳ５７では、硬貨識別信号ＣＶＳが入力されたか否かが判定される。硬貨識別信号ＣＶＳが入力されたときにはステップＳ５６に進み、硬貨識別信号ＣＶＳが入力されないときには図７のステップＳ４５に戻る。ステップＳ５６では、ステップＳ５３と同様に、入金情報ＩＭＩが送信される。換言すれば、操作情報ＯＰＩを受信しない場合には、紙幣識別信号ＢＶＳおよび硬貨識別信号ＣＶＳの双方が入力されない場合には、ステップＳ５１に戻り待機状態となる。他方、紙幣識別信号ＢＶＳおよび硬貨識別信号ＣＶＳのいずれか一方が入力された場合には、入力された紙幣識別信号ＢＶＳおよび硬貨識別信号ＣＶＳのいずれか一方によって入金情報ＩＭＩが確定され、当該入金情報ＩＭＩが送信される。
【００６３】
次のステップＳ５６では、操作情報ＯＰＩを受信したか否かが判定される。操作情報ＯＰＩを受信したときはステップＳ５９に進み、操作情報ＯＰＩを受信しないときにはステップＳ５８が繰り返し実行される。換言すれば、操作情報ＯＰＩを受信するまでは待機状態となる。そして、操作情報ＯＰＩを受信した後、ステップＳ５９に進む。
【００６４】
次のステップＳ５９では、交換条件が決定される。この交換条件の決定は、図６のステップＳ２９で説明した通りである。続くステップＳ６０では、出金情報ＯＭＩが送信される。出金情報ＯＭＩは、ステップＳ５９で決定された交換条件に基づく情報であり、出金金種および出金枚数を含んでいる。例えば、図４の交換条件Ａの場合には、出金金種が１０００円紙幣で出金枚数が１０枚となる。
【００６５】
次のステップＳ６１では、紙幣の出金があるか否かが判定される。紙幣の出金があるときはステップＳ６２に進み、紙幣の出金がないときはステップＳ６３に進む。ステップＳ６２では、紙幣払出信号ＢＤＳを出力する。次のステップＳ６３では、５００円硬貨の出金があるか否かを判定する。５００円硬貨の出金があるときはステップＳ６４に進み、５００円硬貨の出金がないときはステップＳ６５に進む。ステップＳ６４では５００円硬貨の硬貨払出信号ＣＤＳ２を出力する。次のステップＳ６５では、１００円硬貨の出金があるか否かを判定し、１００円硬貨の出金があるときはステップＳ６７に進み、１００円硬貨の出金がないときはステップＳ６８に進む。ステップＳ６７では、１００円硬貨の硬貨払出信号ＣＤＳ１を出力する。ステップＳ６１〜Ｓ６７が実行されることにより、ステップＳ５９で決定された交換条件に基づいて１０００円紙幣、５００硬貨および１００円硬貨の出金が完了することになる。そして、次のステップＳ６８では、出金完了情報ＯＥＩを送信する。
【００６６】
次のステップＳ６９では、図６のステップＳ３７と同様に、所定時間が経過したか否かが判定される。所定時間が経過したときは図７のステップＳ４１に戻り、所定時間が経過していないときには図７のステップＳ４５に戻る。
【００６７】
＜制御ＰＣの動作＞
次に、図９および図１０を参照しながら、制御ＰＣ１７４の動作について説明する。まず、ステップＳ７１では、監視カメラ１３６による撮影を開始する。次のステップＳ７２では、広告表示指令ＡＤＩを受信したか否かが判定される。広告表示指令ＡＤＩを受信したときにはステップＳ７３に進み、広告表示指令ＡＤＩを受信していないときにはステップＳ７２が繰り返し実行される。換言すれば、広告表示指令ＡＤＩを受信するまでは待機状態となる。続くステップＳ７３では、タッチパネル式表示装置１０８の表示部１１０に広告映像ＰＤが表示される。
【００６８】
次のステップＳ７４では、タッチ操作の有無が判定される。タッチ操作があったときにはステップＳ７５に進み、タッチ操作がないときはステップＳ７６に進む。続くステップＳ７５では、操作情報ＯＰＩを送信する。次のステップＳ７６では、両替表示指令ＥＤＩを受信したか否かが判定される。両替表示指令ＥＤＩを受信したときにはステップＳ７７に進み、両替表示指令ＥＤＩを受信しないときにはステップＳ７４に戻る。次のステップＳ７７では、操作画面１１５、監視映像ＰＭおよび広告映像ＰＤがタッチパネル式表示装置１０８の表示部１１０に表示される。換言すれば、操作情報ＯＰＩを送信した後に両替表示指令ＥＤＩを受信した場合および操作情報ＯＰＩを送信せずに両替表示指令ＥＤＩを受信した場合（すなわち、人感センサ１３０の検知があった場合）のいずれかにおいて操作画面１１５、監視映像ＰＭおよび広告映像ＰＤが表示される。
【００６９】
次のステップＳ７８では、メンテナンス画面表示指令ＭＰＩを受信したか否かが判定される。メンテナンス画面表示指令ＭＰＩを受信したときにはステップＳ７９に進み、メンテナンス画面表示指令ＭＰＩを受信しないときにはステップＳ８４に進む。ステップＳ７９では、監視映像ＰＭがＵＳＢメモリ１８６に記憶される。次のステップＳ８０では、図１５に示すメンテナンス画面ＭＰ（詳細は後述する）がタッチパネル式表示装置１０８の表示部１１０に表示される。次のステップＳ８１では、図１５の「メンテナンス終了」操作ボタン３５７が操作されたか否かが判定される。「メンテナンス終了」操作ボタン３５７が操作されたときにはステップＳ８２に進み、「メンテナンス終了」操作ボタン３５７が操作されないときにはステップＳ８０に戻る。換言すれば、「メンテナンス終了」操作ボタン３５７が操作されるまではメンテナンス画面ＭＰの表示が継続される。次のステップＳ８２では、ステップＳ７９と同様に、監視映像ＰＭがＵＳＢメモリ１８６に記憶される。次のステップＳ８３では、ステップＳ７７と同様に、操作画面１１５、監視映像ＰＭおよび広告映像ＰＤがタッチパネル式表示装置１０８の表示部１１０に表示される。
【００７０】
次のステップＳ８４では、前扉開放情報ＤＯＩを受信したか否かが判定される。前扉開放情報ＤＯＩを受信したときにはステップＳ８５に進み、前扉開放情報ＤＯＩを受信しないときには図１０のステップＳ９１に進む。次のステップＳ８５では、ステップＳ７９と同様に、監視映像ＰＭがＵＳＢメモリ１８６に記憶される。続くステップＳ８６では、図１４に示す監視映像ＰＭがタッチパネル式表示装置１０８の表示部１１０に表示される。次のステップＳ８７では、前扉閉鎖情報ＤＣＩを受信したか否かが判定される。前扉閉鎖情報ＤＣＩを受信したときにはステップＳ８８に進み、前扉閉鎖情報ＤＣＩを受信しないときはステップＳ８６に戻る。換言すれば、前扉閉鎖情報ＤＣＩを受信するまでは、監視映像ＰＭの表示が継続される。次のステップＳ８８では、ステップＳ８５と同様に、監視映像ＰＭがＵＳＢメモリ１８６に記憶される。次のステップＳ８９では、ステップＳ７７と同様に、操作画面１１５、監視映像ＰＭおよび広告映像ＰＤがタッチパネル式表示装置１０８の表示部１１０に表示される。
【００７１】
図１０のステップＳ９１では、操作ボタン１１４が操作されたか否かが判定される。操作ボタン１１４が操作されたときにはステップＳ９２に進み、操作ボタン１１４が操作されないときにはステップＳ９６に進む。ステップＳ９２では、操作ボタン１１４の操作に応じた操作情報ＯＰＩが送信される。続くステップＳ９３では、入金情報ＩＭＩを受信したか否かが判定される。入金情報ＩＭＩを受信したときにはステップＳ９４に進み、入金情報ＩＭＩを受信しないときにはステップＳ９３が繰り返し実行される。換言すれば、入金情報ＩＭＩを受信するまでは待機状態となる。次のステップＳ９４では、監視映像ＰＭがＵＳＢメモリ１８６に記憶される。続くステップＳ９５では、入金情報ＩＭＩがタッチパネル式表示装置１０８の表示部１１０に表示される。ステップＳ９５が実行された後、ステップＳ１０１に進む。
【００７２】
ステップＳ９１で操作ボタン１１４が操作されないと判定された場合に実行されるステップＳ９６では、入金情報ＩＭＩを受信したか否かが判定される。入金情報ＩＭＩを受信ときにはステップＳ９７に進み、入金情報ＩＭＩを受信していないときには図９のステップＳ７８に戻る。換言すれば、操作ボタン１１４の操作がなく、入金情報ＩＭＩを受信しない場合には、操作画面１１５、監視映像ＰＭおよび広告映像ＰＤがタッチパネル式表示装置１０８の表示部１１０に表示された状態となる。次のステップＳ９７では、ステップＳ９４と同様に、監視映像ＰＭがＵＳＢメモリ１８６に記憶される。続くステップＳ９８では、ステップＳ９５と同様に、入金情報ＩＭＩがタッチパネル式表示装置１０８の表示部１１０に表示される。次のステップＳ９９では、ステップＳ９１と同様に、操作ボタン１１４が操作されたか否かが判定される。操作ボタン１１４が操作されたときにはステップＳ１００に進み、操作ボタン１１４が操作されないときにはステップＳ９９が繰り返し実行される。換言すれば、操作ボタン１１４が操作されるまでは待機状態となる。次のステップＳ１００では、ステップＳ９２と同様に、操作情報ＯＰＩが送信される。ステップＳ１００の実行後、ステップＳ１０１に進む。
【００７３】
次のステップＳ１０１では、出金情報ＯＭＩを受信したか否かが判定される。出金情報ＯＭＩを受信したときはステップＳ１０２に進み、出金情報ＯＭＩを受信しないときはステップＳ１０１が繰り返し実行される。換言すれば、出金情報ＯＭＩを受信するまでは待機状態にある。続くステップＳ１０２では、出金情報ＯＭＩがタッチパネル式表示装置１０８の表示部１１０に表示される。次のステップＳ１０３では、出金完了情報ＯＥＩを受信したか否かが判定される。出金完了情報ＯＥＩを受信したときはステップＳ１０４に進み、出金完了情報ＯＥＩを受信しないときはステップＳ１０３が繰り返し実行される。換言すれば、出金完了情報ＯＥＩを受信するまでは待機状態にある。次のステップＳ１０４では、ステップＳ９４およびステップＳ９７と同様に、監視映像ＰＭがＵＳＢメモリ１８６に記憶される。ステップＳ１０４の実行後、図９のステップＳ７８に戻る。
【００７４】
＜制御ユニットおよび制御ＰＣの相互動作＞
次に、図１１を参照しながら、制御ユニット１４２および制御ＰＣ１７４の相互動作について説明する。最初に、制御ＰＣ１７４が監視カメラ１３６による撮影を開始する（ステップＳＴ１）。次に、制御ユニット１４２が広告表示指令ＡＤＩを制御ＰＣ１７４に送信する（ステップＳＴ２）。広告表示指令ＡＤＩを受信した制御ＰＣ１７４は、広告映像ＰＤをタッチパネル式表示装置１０８の表示部１１０に表示（ステップＳＴ３）した後、操作情報ＯＰＩを制御ユニット１４２に送信する（ステップＳＴ４）。操作情報ＯＰＩを受信した制御ユニット１４２は、両替表示を行うと判断（ステップＳＴ５）した際に、両替表示指令ＥＤＩを制御ＰＣ１７４に送信する（ステップＳＴ６）。両替表示指令ＥＤＩを受信した制御ＰＣ１７４は、操作画面１１５、監視映像ＰＭおよび広告映像ＰＤをタッチパネル式表示装置１０８の表示部１１０に表示する（ステップＳＴ７）。
【００７５】
制御ユニット１４２は、メンテナンス画面ＭＰを表示すると判断（ステップＳＴ８）した際に、メンテナンス画面表示指令ＭＰＩを制御ＰＣ１７４に送信する（ステップＳＴ９）。制御ＰＣ１７４は、メンテナンス画面表示指令ＭＰＩを受信した（ステップＳＴ１０）と判断した際に、監視映像ＰＭをＵＳＢメモリ１８６に記憶（ステップＳＴ１１）した後、メンテナンス画面ＭＰをタッチパネル式表示装置１０８の表示部１１０に表示する（ステップＳＴ１２）。さらに、制御ＰＣ１７４は、メンテナンス画面ＭＰの表示を終了（ステップＳＴ１２）すると共に、監視映像ＰＭをＵＳＢメモリ１８６に記憶する（ステップＳＴ１４）。
【００７６】
制御ユニット１４２は、前扉１０４の開放を検知したと判断（ステップＳＴ１５）した際に、前扉開放情報ＤＯＩを制御ＰＣ１７４に送信する（ステップＳＴ１６）。制御ＰＣ１７４は、前扉開放情報ＤＯＩを受信した（ステップＳＴ１７）と判断した際に、監視映像ＰＭをＵＳＢメモリ１８６に記憶した後、監視映像ＰＭをタッチパネル式表示装置１０８の表示部１１０に表示する（ステップＳＴ１９）。
【００７７】
制御ＰＣ１７４は、前扉１０４の閉鎖を検知したと判断（ステップＳＴ２０）した際に、前扉閉鎖情報ＤＣＩを制御ＰＣ１７４に送信する（ステップＳ２１）。前扉閉鎖情報ＤＣＩを受信した制御ＰＣ１７４は、監視映像ＰＭをＵＳＢメモリ１８６に記憶する（ステップＳＴ２２）。
【００７８】
制御ＰＣ１７４は、入金情報ＩＭＩを制御ＰＣ１７４に送信する（ステップＳＴ２３）。入金情報ＩＭＩを受信した制御ＰＣ１７４は、監視映像ＰＭをＵＳＢメモリ１８６に記憶する（ステップＳＴ２４）と共に、入金情報ＩＭＩをタッチパネル式表示装置１０８の表示部１１０に表示する（ステップＳＴ２５）。そして、制御ＰＣ１７４は、操作情報ＯＰＩを制御ユニット１４２に送信する（ステップＳＴ２６）。操作情報ＯＰＩを受信した制御ユニット１４２は、出金情報ＯＭＩを制御ＰＣ１７４に送信する（ステップＳＴ２７）。出金情報ＯＭＩを受信した制御ＰＣ１７４は、出金情報ＯＭＩをタッチパネル式表示装置１０８の表示部１１０に表示する（ステップＳＴ２８）。さらに、制御ユニット１４２は、出金完了情報ＯＥＩを制御ＰＣ１７４に送信する（ステップＳＴ２９）。出金完了情報ＯＥＩを受信した制御ＰＣ１７４は、監視映像ＰＭをＵＳＢメモリ１８６に記憶する（ステップＳＴ３０）。
【００７９】
＜監視映像の記憶動作＞
次に、図１２を参照しながら、監視映像ＰＭの記憶動作について説明する。まず、ステップＳＳ１では、監視カメラ１３６による撮影が実行される。ステップＳＳ２では、ステップＳＳ１で撮影された映像ＭＤがＲＡＭ１８３に一時的に記憶される。上述した通り、所定時間Δｔ０の映像ＭＤがＲＡＭ１８３に逐次記憶される。このＲＡＭ１８３に記憶される映像ＭＤは、所定時間Δｔ０経過後に逐次消去される。換言すれば、現在時刻からΔｔ０遡った映像ＭＤが常に更新されつつＲＡＭ１８３に記憶される。ステップＳＳ３では、監視映像ＰＭとしてＵＳＢメモリ１８６に記憶に記憶するか否かが判定される。監視映像ＰＭとしてＵＳＢメモリ１８６に記憶に記憶するときにはステップＳＳ４に進み、監視映像ＰＭとしてＵＳＢメモリ１８６に記憶に記憶しないときにはステップＳＳ１に戻る。ステップＳＳ４では、ＲＡＭ１８３に記憶された映像ＭＤが読み出されてＵＳＢメモリ１８６に記憶される。上述した通り、現在時刻ｔｍとし、ＵＳＢメモリ１８６に記憶される監視映像の所定時間をΔｔ１とする場合、ＲＡＭ１８３に記憶された映像ＭＤのうちの時刻「ｔｍ−Δｔ１」から時刻ｔｍまでの映像ＭＤがＲＡＭ１８３から読み出されてＵＳＢメモリ１８６に記憶される。
【００８０】
このように、現在時刻ｔｍから所定時間Δｔ１遡った時刻に開始される映像ＭＤを監視映像ＰＭとしてＵＳＢメモリ１８６に記憶することにより、両替機１００の動作において生起される様々な事象に対応して監視映像ＰＭを記憶することが可能となる。例えば、紙幣の入金に関する事象では、紙幣入出金ユニット１４４の内部に紙幣が導入された状態で紙幣の識別が実行されて入金が完了するので、紙幣入金口１１６に紙幣が投入される状態を監視映像ＰＭとして記憶するには、所定時間Δｔ１遡った状態の映像ＭＤが必要となる。紙幣の出金に関する事象では、紙幣出金口１１８への紙幣の払い出しを検知した時点で紙幣の出金が完了するので、紙幣出金口１１８への紙幣が払い出される状態を監視映像ＰＭとして記憶するには、所定時間Δｔ１遡った状態の映像ＭＤが必要となる。換言すれば、貨幣の入金および出金に関する事象において、それらの状態をより確実に検証することができる。しかも、所定時間Δｔ１の映像ＭＤを監視映像ＰＭとしてＵＳＢメモリ１８６に記憶するので、常時映像ＭＤを記憶する場合に比べ、記憶容量を節約することができる。メンテナンス画面ＭＰの表示およびその表示の終了に関する事象または前扉１０４の開閉（開放および閉鎖）に関する事象においても同様である。
【００８１】
＜メンテナンス画面の操作＞
次に、図１５および図１６を参照しながら、メンテナンス画面ＭＰの操作について説明する。図１５（Ａ）に示すように、メンテナンス画面ＭＰの上部には、「売上管理」操作ボタン３５１、「運用設定」操作ボタン３５２および「初期設定」操作ボタン３５３が表示される。メンテナンス画面ＭＰの下部には、「メンテナンス終了」操作ボタン３５７、「再起動」操作ボタン３５８および「クリア後再起動」操作ボタン３５９が表示される。また、メンテナンス画面ＭＰの右上部の監視映像表示領域３４０には、図１４と同様の監視映像ＰＭが表示される。図１５（Ａ）は「売上管理」操作ボタン３５１が選択操作された状態を示し、「日計・累計」操作ボタン３５５および「動作ログ」操作ボタン３５６が表示される。「日計・累計」操作ボタン３５５が選択操作されると、当日の売上に関する情報や所定期間の売上に関する情報が表示される。「動作ログ」操作ボタン３５６が選択操作されると、図１５（Ｂ）に示す動作ログ表示画面ＬＰが表示される。「運用設定」操作ボタン３５２が選択操作されると、両替機１００の運用時間に関する設定を行うことができる。「初期設定」操作ボタン３５３が選択操作されると、両替機１００の動作に関する各種設定項目の操作ボタンが表示され、それらの操作ボタンを操作することにより設定項目毎に初期値が設定される。「メンテナンス終了」操作ボタン３５７が選択操作されると、メンテナンス画面ＭＰの表示が終了される。「再起動」操作ボタン３５８が選択操作されると、両替機１００が再起動される。「クリア後再起動」操作ボタン３５９が選択操作されると、「運用設定」および「初期設定」で設定された項目が初期化された後、両替機１００が再起動される。
【００８２】
次に、図１５（Ｂ）に示す動作ログ表示画面ＬＰについて説明する。動作ログ表示画面ＬＰでは、年月日および時刻を示すタイム情報表示部３６１、両替機１００の動作に応じて生起される事象（所謂、イベント）が時系列に表示されるイベント情報表示部３６２、イベント情報表示部３６２において特定のイベントが選択されていることを示すマーク３６３、マーク３６３を上に移動させる「上移動」操作ボタン３６４、マークを下に移動させる「下移動」操作ボタン３６５、時刻を戻す「時刻戻し」操作ボタン３６６、時刻を進める「時刻進め」操作ボタン３６７、日付を戻す「日付戻し」操作ボタン３６８、日付を進める「日付進め」操作ボタン３６９、選択されたイベントに対応する監視映像ＰＭを表示する監視映像表示部３４１、監視映像表示部３４１に表示される監視映像ＰＭを再生する「再生」操作ボタン３７１、監視映像表示部３４１に表示される監視映像ＰＭを早戻しする「早戻し」操作ボタン３７２、監視映像表示部３４１に表示される監視映像ＰＭを早送りする「早送り」操作ボタン３７３および前画面（すなわち、図１５（Ａ）の表示画面）に戻る「戻る」操作ボタン３７４が表示される。
【００８３】
イベント情報表示部３６２には、例えば、図１６に示すように、複数のイベントのそれぞれについて「番号」（Ｎｏ．）、「日時」および「内容」が表示される。複数のイベントは、「日時」の新しいものが最上に位置するよう降順に並べられている。「日時」としては、イベントの生起される「年／月／日  時：分：秒」が表示される。「内容」としては、イベントの種別や入出金情報が表示される。換言すれば、イベントの生起された時刻および当該イベントの種別を含む履歴情報が表示される。これにより、複数のイベントのうちの一つを特定し、当該特定されたイベントについて監視映像ＰＭを監視映像表示部３４１に表示して確認することができる。したがって、イベントに関わる監視映像ＰＭによる検証を容易かつ確実に行うことが可能となる。
【００８４】
上述した通り、本発明の第１実施形態の監視装置１９０では、監視カメラ１３６が前方に設定された撮影範囲の映像を撮影する。制御装置１９２は、監視カメラ１３６により撮影される映像ＭＤに基づく監視映像ＰＭを表示装置１０８に表示する。また、制御装置１９２は、両替機（貨幣処理装置）１００において生起される動作の事象毎に監視映像ＰＭをＵＳＢメモリ（不揮発性記憶装置）１８６に記憶する。制御装置１９２は、監視カメラ１３６で撮影された第１所定時間Δｔ０の映像ＭＤを逐次記憶しつつ第１所定時間Δｔ０経過後の記憶された映像ＭＤを消去するＲＡＭ（一時記憶装置）１８３を有する。そして、事象が生起された時刻ｔｍから第１所定時間Δｔ０より短い第２所定時間Δｔ１遡った時刻「ｔｍ−Δｔ１」に開始される監視カメラ１３６の映像ＭＤがＲＡＭ１８３から読み出されて監視映像ＰＭがＵＳＢメモリ１８６に記憶される。
【００８５】
紙幣入金口１１６または硬貨投入口１２０（貨幣入金口）への貨幣の入金に関わる監視映像ＰＭおよび紙幣出金口１１８または硬貨受皿１２６（貨幣出金口）への貨幣の出金に関わる監視映像ＰＭが表示装置１０８に表示された場合、両替機１００の利用者がこれらの監視映像ＰＭをリアルタイムで見ることになる。これにより、利用者は入金および出金の様子が監視されていることを感じ、無闇なクレームを自粛することが期待され、トラブルを抑止することができる。また、メンテナンス作業に関わる監視映像ＰＭが表示装置１０８に表示された場合、店員等の作業者がメンテナンス作業の様子が監視されていることを感じ、不正行為を思い止まることが期待され、不正行為を抑止することができる。
【００８６】
他方、紙幣入金口１１６または硬貨投入口１２０への貨幣の入金完了時が事象として設定されると、入金完了時ｔｍから所定時間Δｔ１遡った時刻「ｔｍ−Δｔ１」から入金完了時刻ｔｍまでの間の監視映像ＰＭがＵＳＢメモリ１８６に記憶される。また、紙幣出金口１１８または硬貨受皿１２６への貨幣の出金完了時が事象として設定されると、出金完了時ｔｍから所定時間Δｔ１遡った時刻「ｔｍ−Δｔ１」から出金完了時刻ｔｍまでの間の監視映像ＰＭがＵＳＢメモリ１８６に記憶される。記憶された監視映像ＰＭを表示装置１０８に表示すれば、貨幣の入金および出金のそれぞれの状態を事後検証することができる。したがって、利用者からクレームがあった場合にトラブルを容易に検証して解決することができる。さらに、店員等の作業者がメンテナンス作業を行う際に、前扉１０４を開放した時が事象として設定されると、前扉１０４を開放した時ｔｍから所定時間Δｔ１遡った時刻「ｔｍ−Δｔ１」から前扉１０４を開放した時刻ｔｍまでの間の監視映像ＰＭがＵＳＢメモリ１８６に記憶される。また、前扉１０４を閉鎖した時が事象として設定されると、前扉１０４を閉鎖した時ｔｍから所定時間Δｔ１遡った時刻「ｔｍ−Δｔ１」から前扉１０４を閉鎖した時刻ｔｍまでの間の監視映像ＰＭがＵＳＢメモリ１８６に記憶される。記憶された監視映像ＰＭを表示装置１０８に表示すれば、メンテナンス作業を行った作業者を特定することができる。したがって、メンテナンス作業に関わる不正行為があった場合の事後検証が可能となる。
【００８７】
さらに、制御装置１９２は、事象が生起された時刻ｔｍおよび当該事象の種別を含む履歴情報と関連付けて監視映像ＰＭをＵＳＢメモリ１８６に記憶すると共に、履歴情報に対応する監視映像ＰＭを表示装置１０８に表示する。この場合、履歴情報に基づいて監視映像ＰＭを事後確認することできるので、利便性が高まると共に、より確実な検証が可能になる。
【００８８】
（実施形態２）
次に、本発明の第２実施形態の監視装置について説明する。本実施形態の監視装置は、図５のステップＳ５で表示される監視映像が紙幣入金口１１６および紙幣出金口１１８に対応する部分監視映像ＰＭＰであり、図６のステップＳ２４、Ｓ２７、Ｓ３６で記憶される監視映像が当該部分監視映像ＰＭＰである点において、第１実施形態の監視装置１９０と相違する。そのため、ここでは部分監視映像ＰＭＰについてのみ説明し、それ以外の詳細な説明を省略する。
【００８９】
図１７に示すように、タッチパネル式表示装置１０８の表示部１１０の右上隅表示領域３０８には、紙幣入金口１１６および紙幣出金口１１８に対応する部分監視映像ＰＭＰが表示される。この部分監視映像ＰＭＰは、ＣＰＵ１８２がメモリ１８６に一時的に記憶された監視映像ＰＭから紙幣入金口１１６および紙幣出金口１１８に対応する撮影領域を切り出すことにより生成される。
【００９０】
次に、図１８を参照しながら、監視映像ＰＭおよび部分監視映像ＰＭＰのいずれか一方をＵＳＢメモリ１８６に記憶する動作について説明する。まず、ステップＳＳ１では、監視カメラ１３６による撮影が実行される。ステップＳＳ２では、ステップＳＳ１で撮影された映像ＭＤがＲＡＭ１８３に一時的に記憶される。第１実施形態の場合と同様に、所定時間Δｔ０の映像ＭＤがＲＡＭ１８３に逐次記憶される。このＲＡＭ１８３に記憶される映像ＭＤは、所定時間Δｔ０経過後に逐次消去される。換言すれば、現在時刻からΔｔ０遡った映像ＭＤが常に更新されつつＲＡＭ１８３に記憶される。次のステップＳＳ３では、監視映像ＰＭとしてＵＳＢメモリ１８６に記憶に記憶するか否かが判定される。監視映像ＰＭとしてＵＳＢメモリ１８６に記憶に記憶するときにはステップＳＳ４に進み、監視映像ＰＭとしてＵＳＢメモリ１８６に記憶に記憶しないときにはステップＳＳ１に戻る。
【００９１】
次のステップＳＳ５では、部分監視映像ＰＭＰを記憶するか否かが判定される。すなわち、図５の両替機１００の動作におけるステップＳ７、Ｓ１０、Ｓ１２、Ｓ１５、図９の制御ＰＣ１７４の動作におけるステップＳ７９、Ｓ８２、Ｓ８５、Ｓ８８および図１１の制御ＰＣ１７４の動作におけるステップＳＴ１１、ＳＴ１４、ＳＴ１８、ＳＴ２２では、部分監視映像ＰＭＰの記憶ではないと判定され、ステップＳＳ６が実行されることにより、第１実施形態の場合と同様に、ＲＡＭ１８３に記憶された映像ＭＤが監視映像ＰＭとしてＵＳＢメモリ１８６に記憶される。ステップＳＳ６の実行後、ステップＳＳ１に戻る。他方、図６の両替機１００の動作におけるステップＳ２４、Ｓ２７、Ｓ３６、図１０の制御ＰＣ１７４の動作におけるステップＳ９４、Ｓ９７、Ｓ１０４および図１１の制御ＰＣ１７４の動作におけるステップＳＴ２４、ＳＴ３０では、部分監視映像ＰＭＰの記憶であると判定され、ステップＳＳ７が実行されることにより、メモリ１８６に記憶された映像ＭＤから部分監視映像ＰＭＰが切り出される。そして、次のステップＳＳ８では、部分監視映像ＰＭＰがＵＳＢメモリ１８６に記憶に記憶される。ステップＳＳ８の実行後、ステップＳＳ１に戻る。こうして、現在時刻ｔｍとし、ＵＳＢメモリ１８６に記憶される監視映像の所定時間をΔｔ１とする場合、ＲＡＭ１８３に記憶された映像ＭＤのうちの時刻「ｔｍ−Δｔ１」から時刻ｔｍまでの映像ＭＤがＲＡＭ１８３から読み出されてＵＳＢメモリ１８６に記憶される。
【００９２】
このように、現在時刻ｔｍから所定時間Δｔ１遡った時刻に開始される映像ＭＤを監視映像ＰＭまたは部分監視映像ＰＭＰとしてＵＳＢメモリ１８６に記憶することにより、両替機１００の動作において生起される様々な事象に対応して監視映像ＰＭまたは部分監視映像ＰＭＰを記憶することが可能となる。例えば、紙幣の入金に関する事象では、紙幣入出金ユニット１４４の内部に紙幣が導入された状態で紙幣の識別が実行されて入金が完了するので、紙幣入金口１１６に紙幣が投入される状態を監視映像ＰＭとして記憶するには、所定時間Δｔ１遡った状態の映像ＭＤが必要となる。紙幣の出金に関する事象では、紙幣出金口１１８への紙幣の払い出しを検知した時点で紙幣の出金が完了するので、紙幣出金口１１８への紙幣が払い出される状態を監視映像ＰＭとして記憶するには、所定時間Δｔ１遡った状態の映像ＭＤが必要となる。換言すれば、貨幣の入金および出金に関する事象において、それらの状態をより確実に検証することができる。しかも、所定時間Δｔ１の映像ＭＤを部分監視映像ＰＭＰとしてＵＳＢメモリ１８６に記憶するので、常時映像ＭＤを記憶する場合に比べ、記憶容量を節約することができる。さらに、部分監視映像ＰＭＰをＵＳＢメモリ１８６に記憶に記憶するので、第１実施形態の場合に比べ、さらに記憶容量を節約できる。また、部分監視映像ＰＭＰとすることにより、紙幣の入出金に関する部分監視映像ＰＭＰが視認し易くなり、紙幣の入出金の検証を容易かつ確実に行うことができるという利点がある。利用者との間で生じるトラブルの多くは紙幣の入出金に関する場合が多いため、トラブルの解決に有効である。
【００９３】
（変形例）
本発明は、第１および第２実施形態に限定されるものではなく、適宜の変更が可能である。例えば、第１および第２実施形態では、監視装置１９０が両替機１００に搭載されているが、メダルの貸出し機能および両替機能を併せ持つメダル貸し・両替機などの両替機能を有する他の貨幣処理装置に適用することができる。
【符号の説明】
【００９４】
１００  両替機
１０２  筐体
１０４  前扉
１０６  ヒンジ
１０８  タッチパネル式表示装置
１１０  表示部
１１２  タッチパネル
１１４、１１４ａ、１１４ｂ、１１４ｃ、１１４ｄ、１１４ｅ  操作ボタン
１１５  操作画面
１１６  紙幣入金口
１１８  紙幣出金口
１２０  硬貨投入口
１２２  硬貨返却レバー
１２４  硬貨払出口
１２６  硬貨受皿
１２８  ロック装置
１３０  人感センサ
１３２  メンテナンス錠
１３４  スピーカ
１３６  監視カメラ
１３８、１３９  棚部材
１４２  制御ユニット
１４２  作情報を制御ユニット
１４２  作により制御ユニット
１４６  硬貨払出ユニット
１４６、１４８  硬貨払出ユニット
１５２、１５４  硬貨貯留容器
１５６、１５８  シュート
１６０  ドアスイッチ
１６２  電源ユニット
１６２  硬貨選別ユニット
１６３、１６４、１６５  シュート
１６６、１６８  硬貨金庫
１７２  共通シュート
１７２ａ  第１通路
１７２ｂ  第２通路
１７３  シュート
１７４  制御ＰＣ
１８２  ＣＰＵ
１８３  ＲＡＭ
１８４  フラッシュメモリ
１８６  ＵＳＢメモリ
１９０  監視装置
１９２  制御装置
２０２  入力キー
２０４  表示器
２０６  記憶部
３０２  左上表示領域
３０４  下表示領域
３０６  右上表示領域
３０８  右上隅表示領域
３４０  監視映像表示領域
３４１  監視映像表示部
３５１、３５２、３５３、３５５、３５６、３５７、３５８、３５９  操作ボタン
３６１  タイム情報表示部
３６２  イベント情報表示部
３６３  マーク
３６４、３６５、３６６、３６７、３６８、３６９、３７１、３７２、３７３、３７４  操作ボタン
Ａ〜Ｌ  交換条件
ＡＤＩ  広告表示指令
ＡＤＳ  音声信号
ＢＤＳ  紙幣払出信号
ＢＥＳ  紙幣出金完了信号
ＢＶＳ  紙幣識別信号
ＣＣＳ  カメラ制御信号
ＣＤＳ１  、ＣＤＳ２  硬貨払出信号
ＣＥＳ１、ＣＥＳ２  硬貨出金完了信号
ＣＶＳ  硬貨識別信号
ＤＣＩ  前扉閉鎖情報
ＤＯＩ  前扉開放情報
ＤＳＳ  前扉開閉信号
ＥＤＩ  両替表示指令
ＨＤＳ  人感信号
ＩＭＩ  入金情報
ＬＰ  動作ログ表示画面
ＭＤ  映像
ＭＰＩ  メンテナンス画面表示指令
ＭＤＳ  映像信号
ＭＫＳ  メンテナンス錠信号
ＭＰ  メンテナンス画面
ＯＥＩ  出金完了情報
ＯＭＩ  出金情報
ＯＰＩ  操作情報
ＯＰＳ  操作信号
ＰＤ  広告映像
ＰＤＳ  映像信号
ＰＭ  監視映像
ＰＭＰ  部分監視映像
ＴＩ  タイム情報
ｔｍ  時刻
Δｔ０、Δｔ１  時間
【図１】
2020009155.tif 000003
【図２】
2020009155.tif 000004
【図３】
2020009155.tif 000005
【図４】
2020009155.tif 000006
【図５】
2020009155.tif 000007
【図６】
2020009155.tif 000008
【図７】
2020009155.tif 000009
【図８】
2020009155.tif 000010
【図９】
2020009155.tif 000011
【図１０】
2020009155.tif 000012
【図１１】
2020009155.tif 000013
【図１２】
2020009155.tif 000014
【図１３】
2020009155.tif 000015
【図１４】
2020009155.tif 000016
【図１５】
2020009155.tif 000017
【図１６】
2020009155.tif 000018
【図１７】
2020009155.tif 000019
【図１８】
2020009155.tif 000020